(57)【要約】【課題】駆動集積回路の複数の出力パッドの間に複数の電源リンク配線を形成し、複数の電源リンク配線のそれぞれに複数の電源配線の一部を接続し、電源を分割して供給することで、複数の電源リンク配線及び複数の電源配線の電気的短絡または焼損のような不良が防止できる電源リンク配線を含む表示装置を提供する。【解決手段】本発明は、複数の画素領域で構成される表示領域と前記表示領域を囲む非表示領域を含む表示パネルと；前記複数の画素領域に第１電源を供給するために前記表示領域に形成される複数の第１電源配線と；前記複数の第１電源配線に接続され、前記非表示領域に形成される複数の第１電源リンク配線と；前記表示パネルに接続され、複数の出力パッド及び前記複数の出力パッドの間に配置されて前記複数の第１電源リンク配線にそれぞれ接続される複数の第１電源パッドを含む複数の駆動部とを備える表示装置を提供する。【選択図】図５
2014056238.tif 000002
【特許請求の範囲】
【請求項１】
複数の画素領域で構成される表示領域と前記表示領域を囲む非表示領域を含む表示パネルと；
前記複数の画素領域に第１電源を供給するために前記表示領域に形成される複数の第１電源配線と；
前記複数の第１電源配線に接続され、前記非表示領域に形成される複数の第１電源リンク配線と；
前記表示パネルに接続され、複数の出力パッド及び前記複数の出力パッドの間に配置されて前記複数の第１電源リンク配線にそれぞれ接続される複数の第１電源パッドを含む複数の駆動部と、を備えることを特徴とする表示装置。
【請求項２】
前記複数の駆動部のそれぞれは、前記表示パネルにデータ信号を供給する駆動集積回路と、前記駆動集積回路が装着されるフィルムとを含むデータ駆動部であることを特徴とする請求項１に記載の表示装置。
【請求項３】
前記駆動集積回路の複数の出力端子は前記複数の出力パッドに接続され、前記複数の出力パッドは前記表示パネルのデータ配線に接続されて前記データ信号を供給することを特徴とする請求項２に記載の表示装置。
【請求項４】
前記複数の駆動部のそれぞれは、外部から前記第１電源を伝達される第１電源供給線と、前記第１電源供給線及び前記複数の第１電源リンク配線に接続されて前記第１電源を供給する複数の第１補助電源リンク配線とを含むことを特徴とする請求項２に記載の表示装置。
【請求項５】
前記複数の第１補助電源リンク配線は、前記フィルムの上部または前記駆動集積回路の内部に形成されることを特徴とする請求項４に記載の表示装置。
【請求項６】
前記複数の第１電源リンク配線は、１つより多いまたは同じ数に、そして前記複数の出力パッドの総数より少ないまたは同じ数に対応するように形成されることを特徴とする請求項１に記載の表示装置。
【請求項７】
前記複数の画素領域に第２及び第３電源をそれぞれ供給するために前記表示領域に形成される複数の第２電源配線及び複数の第３電源配線と；
前記複数の第２電源配線に接続され、前記非表示領域に形成される複数の第２電源リンク配線及び前記複数の第３電源配線に接続され、前記非表示領域に形成される複数の第３電源リンク配線と；
前記複数の出力パッドの間に配置され、前記複数の第２電源リンク配線にそれぞれ接続される複数の第２電源パッド及び前記複数の出力パッドの間に配置され、前記複数の第３電源リンク配線にそれぞれ接続される複数の第３電源パッドと、を更に含むことを特徴とする請求項１に記載の表示装置。
【請求項８】
前記複数の第１電源リンク配線、前記複数の第２電源リンク配線及び前記複数の第３電源リンク配線は、１つずつまたは３つずつ交互に繰り返し配列されることを特徴とする請求項７に記載の表示装置。
【請求項９】
前記複数の駆動部のそれぞれは、前記表示パネルにゲート信号を供給する駆動集積回路と、前記駆動集積回路が装着されるフィルムとを含むゲート駆動部であり、
前記駆動集積回路の複数の出力端子は前記複数の出力パッドに接続され、前記複数の出力パッドは前記表示パネルのゲート配線に接続されて前記ゲート信号を供給することを特徴とする請求項１に記載の表示装置。
【請求項１０】
前記第１電源は、前記複数の画素領域で用いられる電源電圧（ＶＤＤ）、基底電圧（ＶＤＤ）及び基準電圧（ＶＲＥＦ）の内の１つであることを特徴とする請求項１に記載の表示装置。
【発明の詳細な説明】
【技術分野】
【０００１】
本発明は、表示装置に関するものであって、特に駆動集積回路の出力パッドの間に形成される電源リンク配線を含む表示装置に関するものである。
【背景技術】
【０００２】
フラットパネル表示装置（ｆｌａｔ  ｐａｎｅｌ  ｄｉｓｐｌａｙ：ＦＰＤ）の一つである有機発光ダイオード（ｏｒｇａｎｉｃ  ｌｉｇｈｔ  ｅｍｉｔｔｉｎｇ  ｄｉｏｄｅ：ＯＬＥＤ）表示装置は、高輝度と低動作電圧の特性を有する。
【０００３】
そして、自ら発光する自体発光型であるため、コントラスト比が高く、超薄型ディスプレイの具現が可能であり、応答時間が数マイクロ秒（μs）程度で動画を具現化しやすい。また、視野角に制限がなく、低温においても安定的であり、直流５Ｖないし１５Ｖの低電圧で駆動するため、駆動回路の製作及び設計が容易である。
【０００４】
また、有機発光ダイオード表示装置の製造工程は、蒸着（ｄｅｐｏｓｉｔｉｏｎ）及びカプセル化（ｅｎｃａｐｓｕｌａｔｉｏｎ）が全てであると言えるため、製造工程が非常に単純である。
【０００５】
ところが、有機発光ダイオード表示装置は、発光ダイオードに電流を供給して光を放射させる電流駆動方式であるため、統合電源配線を介して各画素領域に様々な大容量の電源を供給しなければならない。
【０００６】
かかる有機発光ダイオード表示装置の統合電源配線について図面を参照して説明する。
【０００７】
図１は、従来の有機発光ダイオード表示装置の一例を示す図面であり、図２は、図１のＡ領域を拡大した図面である。
【０００８】
図１に示すように、一例の従来の有機発光ダイオード表示装置１０は、映像を表示する発光ダイオードパネル１５と、発光ダイオードパネル１５に接続されてそれぞれゲート信号及びデータ信号を供給する複数のゲート駆動部（不図示）及び複数のデータ駆動部２０とを備える。
【０００９】
発光ダイオードパネル１５は、複数の画素領域Ｐで構成される表示領域ＤＡと、表示領域ＤＡを囲む非表示領域ＮＤＡを含み、表示領域ＤＡには複数の画素領域Ｐに第１電源を供給するための複数の第１電源配線５４が形成され、非表示領域ＮＤＡには複数の第１電源配線に接続され、外部から供給される第１電源を複数の第１電源配線５４に伝達する第１統合電源配線５０が形成される。
【００１０】
図面に示していないが、表示領域ＤＡには複数の画素領域Ｐに第２電源を供給するための複数の第２電源配線が形成され、非表示領域ＮＤＡには複数の第２電源配線に接続され、外部から供給される第２電源を複数の第２電源配線に伝達する第２統合電源配線５２が形成される。
【００１１】
複数のデータ駆動部２０は、テープキャリアパッケージ（ＴＣＰ）のようにフィルムの上部に駆動集積回路（ｄｒｉｖｉｎｇ  ｉｎｔｅｇｒａｔｅｄ  ｃｉｒｃｕｉｔ：ＤＩＣ）２２を装着したチップオンフィルム（ＣＯＦ）の形状で形成されることができる。
【００１２】
複数のデータ駆動部２０のそれぞれの両端部には、外部から第１電源が供給される第１電源供給線４０が形成され、第１電源供給線４０は第１統合電源配線５０に接続される。
【００１３】
そして、発光ダイオードパネル１５には、フィルムオングラス（ＦＯＧ）のような補助駆動部３０が接続されるが、補助駆動部３０には第２電源供給線４２が形成され、第２電源供給線４２は第２統合電源配線５２に接続される。
【００１４】
更に詳しく説明すると、図２に示すようにデータ駆動部２０の駆動集積回路２２は、互いに１：１：１の対応関係で接続される複数のデジタル・アナログ変換機ＤＡＣ１、ＤＡＣ２、ＤＡＣ３、ＤＡＣ４、複数のバッファーＢＦ１、ＢＦ２、ＢＦ３、ＢＦ４及び複数の出力パッドＯＰ１、ＯＰ２、ＯＰ３、ＯＰ４を含む。複数の出力パッドＯＰ１、ＯＰ２、ＯＰ３、ＯＰ４はそれぞれ発光ダイオードパネル１５の複数のデータ配線６０に接続される。
【００１５】
そして、複数のデジタル・アナログ変換機ＤＡＣ１、ＤＡＣ２、ＤＡＣ３、ＤＡＣ４から生成された複数のデータ信号は、複数のバッファーＢＦ１、ＢＦ２、ＢＦ３、ＢＦ４及び複数の出力パッドＯＰ１、ＯＰ２、ＯＰ３、ＯＰ４を介して複数のデータ配線６０に供給される。
【００１６】
また、データ駆動部２０の両端部にはそれぞれ第１電源供給線４０が形成される。第１電源供給線４０の両端にはそれぞれ電源入力パッド４０ａ及び電源出力パッド４０ｂが形成される。電源出力パッド４０ｂは発光ダイオードパネル１５の第１統合電源配線５０に接続される。
【００１７】
一方、発光ダイオードパネル１５の複数の画素領域Ｐ１、Ｐ２、Ｐ３、Ｐ４の間には複数の第１電源配線５４が形成される。複数の第１電源配線５４は第１統合電源配線５０に接続されて第１電源を供給する。
【００１８】
図３は、従来の有機発光ダイオード表示装置の他の一例を示す図面である。
【００１９】
図３に示すように、他の一例における従来の有機発光ダイオード表示装置１１０は、映像を表示する発光ダイオードパネル１１５と、発光ダイオードパネル１１５に接続されてそれぞれゲート信号及びデータ信号を供給する複数のゲート駆動部（不図示）及び複数のデータ駆動部１２０とを備える。
【００２０】
発光ダイオードパネル１１５は、複数の画素領域Ｐで構成される表示領域ＤＡと、表示領域ＤＡを囲む非表示領域ＮＤＡを含み、表示領域ＤＡには複数の画素領域Ｐに第１電源及び第２電源をそれぞれ供給するための複数の第１電源配線１５４及び複数の第２電源配線（不図示）が形成され、非表示領域ＮＤＡには複数の第１電源配線１５４に接続され、外部から供給される第１電源を複数の第１電源配線１５４に伝達する第１統合電源配線１５０と、複数の第２電源配線に接続され、外部から供給される第２電源を複数の第２電源配線に伝達する第２統合電源配線１５２が形成される。
【００２１】
複数のデータ駆動部１２０はテープキャリアパッケージ（ＴＣＰ）のようにフィルムの上部に駆動集積回路（ｄｒｉｖｉｎｇ  ｉｎｔｅｇｒａｔｅｄ  ｃｉｒｃｕｉｔ：ＤＩＣ）２２を装着したチップオンフィルム（ＣＯＦ）の形状で形成されることができる。
【００２２】
複数のデータ駆動部１２０のそれぞれの両端には、外部から第１電源が供給される第１外部電源線１４０と外部から第２電源が供給される第２外部電源線１４２が形成される。第１及び第２外部電源線１４０、１４２はそれぞれ第１及び第２統合電源配線１５０、１５２に接続される。
【００２３】
かかる従来の有機発光ダイオード表示装置１０、１１０において、第１及び第２電源はそれぞれ電源電圧ＶＤＤ及び基底電圧ＶＳＳであるが、一つの第１統合電源配線５０、１５０と一つの第２統合電源配線５２、１５２を介して発光ダイオードパネル１５、１１５の全画素領域Ｐに第１及び第２電源を供給するため、第１統合電源配線５０、１５０と第２統合電源配線５２、１５２のそれぞれには過度な電流が流れることになる。
【００２４】
それによって、第１統合電源配線５０、１５０と第２統合電源配線５２、１５２自体が電気的に断線（ｅｌｅｃｔｒｉｃ  ｏｐｅｎ）したり、焼損したりすることがあり、上部下部の絶縁層が破壊されて他の配線と電気的に短絡（ｅｌｅｃｔｒｉｃ  ｓｈｏｒｔａｇｅ）することもある。かかる第１統合電源配線５０、１５０と第２統合電源配線５２、１５２の不良は第１電源配線５４、１５４と第２電源配線に拡散するという問題がある。
【００２５】
特に、大面積表示装置の場合、更に多くの駆動電流を必要とするため、かかる不良が更に大きな問題となる。
【発明の概要】
【発明が解決しようとする課題】
【００２６】
本発明は、かかる問題を解決するためになされたもので、駆動集積回路の複数の出力パッドの間に複数の電源リンク配線を形成し、複数の電源リンク配線のそれぞれに複数の電源配線の一部を接続し、電源を分割して供給することで、複数の電源リンク配線及び複数の電源配線の電気的短絡または焼損のような不良が防止できる電源リンク配線を含む表示装置を提供することを目的とする。
【課題を解決するための手段】
【００２７】
上述のような課題を解決するために、本発明は、複数の画素領域で構成される表示領域と前記表示領域を囲む非表示領域を含む表示パネルと；前記複数の画素領域に第１電源を供給するために前記表示領域に形成される複数の第１電源配線と；前記複数の第１電源配線に接続され、前記非表示領域に形成される複数の第１電源リンク配線と；前記表示パネルに接続され、複数の出力パッド及び前記複数の出力パッドの間に配置されて前記複数の第１電源リンク配線にそれぞれ接続される複数の第１電源パッドを含む複数の駆動部とを備える表示装置を提供する。
【００２８】
前記複数の駆動部のそれぞれは、前記表示パネルにデータ信号を供給する駆動集積回路と、前記駆動集積回路が装着されるフィルムとを含むデータ駆動部である。
【００２９】
そして、前記駆動集積回路の複数の出力端子は前記複数の出力パッドに接続され、前記複数の出力パッドは前記表示パネルのデータ配線に接続されて前記データ信号を供給することができる。
【００３０】
また、前記複数の駆動部のそれぞれは、外部から前記第１電源を伝達される第１電源供給線と、前記第１電源供給線及び前記複数の第１電源リンク配線に接続され、前記第１電源を供給する複数の第１補助電源リンク配線とを含むことができる。
【００３１】
そして、前記複数の第１補助電源リンク配線は、前記フィルムの上部または前記駆動集積回路の内部に形成されることができる。
【００３２】
また、前記複数の第１電源リンク配線は、１つより多いまたは同じ数に、そして前記複数の出力パッドの総数より少ないまたは同じ数に対応するように形成されることができる。
【００３３】
そして、前記表示装置は、前記複数の画素領域に第２及び第３電源をそれぞれ供給するために前記表示領域に形成される複数の第２電源配線及び複数の第３電源配線と；前記複数の第２電源配線に接続され、前記非表示領域に形成される複数の第２電源リンク配線及び前記複数の第３電源配線に接続され、前記非表示領域に形成される複数の第３電源リンク配線と；前記複数の出力パッドの間に配置され、前記複数の第２電源リンク配線にそれぞれ接続される複数の第２電源パッド及び前記複数の出力パッドの間に配置され、前記複数の第３電源リンク配線にそれぞれ接続される複数の第３電源パッドと、を更に含むことができる。
【００３４】
また、前記複数の第１電源リンク配線、前記複数の第２電源リンク配線及び前記複数の第３電源リンク配線は、１つずつまたは３つずつ交互に繰り返し配列されることができる。
【００３５】
そして、前記複数の駆動部のそれぞれは、前記表示パネルにゲート信号を供給する駆動集積回路と、前記駆動集積回路が装着されるフィルムとを含むゲート駆動部であり、前記駆動集積回路の複数の出力端子は前記複数の出力パッドに接続され、前記複数の出力パッドは前記表示パネルのゲート配線に接続されて前記ゲート信号を供給することができる。
【００３６】
また、前記第１電源は、前記複数の画素領域において用いられる電源電圧（ＶＤＤ）、基底電圧（ＶＳＳ）及び基準電圧（ＶＲＥＦ）の内、１つである。
【発明の効果】
【００３７】
本発明は、駆動集積回路の複数の出力パッドの間に形成された複数の電源リンク配線を介して様々な電源を供給することで、表示パネルで用いられる様々な電源を分割して供給する効果を有する。
【００３８】
また、本発明は、駆動集積回路の複数の出力パッドの間に形成された複数の電源リンク配線のそれぞれに、表示パネルの複数の電源配線の一部を接続して様々な電源を供給することで、複数の電源リンク配線及び複数の電源配線の電気的短絡または焼損のような不良を防止する効果を有する。
【図面の簡単な説明】
【００３９】
【図１】従来の有機発光ダイオード表示装置の一例を示す図面である。
【図２】図１のＡ領域を拡大した図面である。
【図３】従来の有機発光ダイオード表示装置の他の一例を示す図面である。
【図４】本発明の第１実施例に係る有機発光ダイオード表示装置を示す図面である。
【図５】図４のＢ領域を拡大した図面である。
【図６】本発明の第２実施例に係る有機発光ダイオード表示装置の一部を示す図面である。
【図７】本発明の第３実施例に係る有機発光ダイオード表示装置を示す図面である。
【図８】図７のＣ領域を拡大した図面である。
【図９】本発明の実施例に係る有機発光ダイオード表示装置の一画素領域を示す図面である。
【発明を実施するための形態】
【００４０】
以下、図面を参照して本発明に係る電源リンク配線を含む表示装置を説明するが、有機発光ダイオード表示装置を一例として説明する。
【００４１】
図４は、本発明の第１実施例に係る有機発光ダイオード表示装置を示す図面であり、図５は、図４のＢ領域を拡大した図面である。
【００４２】
図４に示すように、本発明の第１実施例に係る有機発光ダイオード表示装置２１０は、映像を表示する発光ダイオードパネル２１５と、発光ダイオードパネル２１５に接続され、それぞれゲート信号及びデータ信号を供給する複数のゲート駆動部（不図示）及び複数のデータ駆動部２２０とを備える。
【００４３】
発光ダイオードパネル２１５は、複数の画素領域Ｐで構成される表示領域ＤＡと、表示領域ＤＡを囲む非表示領域ＮＤＡを有する第１及び第２基板（不図示）を含み、第１基板の表示領域ＤＡには、複数の画素領域Ｐに第１電源を供給するための複数の第１電源配線２５４が発光ダイオードパネル２１５の垂直方向の長さに対応するように形成され、第１基板の非表示領域ＮＤＡには、複数の第１電源配線２５４に接続され、外部から供給される第１電源を複数の第１電源配線２５４に伝達する複数の第１電源リンク配線２５０が形成される。
【００４４】
図面に示していないが、第１基板の表示領域ＤＡには、複数の画素領域Ｐに第２電源を供給するための複数の第２電源配線が更に形成され、第１基板の非表示領域ＮＤＡには、複数の第２電源配線に接続され、外部から供給される第２電源を複数の第２電源配線に伝達する第２電源リンク配線が更に形成されることができる。
【００４５】
複数のデータ駆動部２２０は、それぞれテープキャリアパッケージ（ＴＣＰ）のようにフィルム２２１の上部に駆動集積回路（ｄｒｉｖｉｎｇ  ｉｎｔｅｇｒａｔｅｄ  ｃｉｒｃｕｉｔ：ＤＩＣ）２２２を装着したチップオンフィルム（ＣＯＦ）の形状で形成されることができる。
【００４６】
複数のデータ駆動部２２０のそれぞれのフィルム２２１上には外部から第１電源が供給される第１電源供給線２４０が形成され、第１電源供給線２４０は複数の第１電源リンク配線２５０に接続され、複数の第１電源リンク配線２５０のそれぞれは、発光ダイオードパネル２１５の第１基板の上部に形成された部分とデータ駆動部２２０のフィルム２２１の上部に形成された部分が接続されて構成される。
【００４７】
また、図面に示していないが、複数のデータ駆動部２２０には外部から第２電源が供給される第２電源供給線が更に形成されることができ、第２電源供給線は第２電源リンク配線に接続されることができる。
【００４８】
更に詳しく説明すると、図５に示すようにデータ駆動部２２０の駆動集積回路２２２は、互いに１：１：１の対応関係で接続される複数のデジタル・アナログ変換機ＤＡＣ１、ＤＡＣ２、ＤＡＣ３、ＤＡＣ４、複数のバッファーＢＦ１、ＢＦ２、ＢＦ３、ＢＦ４及び複数の出力端子（不図示）を含む。複数の出力端子はデータ駆動部２２０のフィルム２２１の上部に形成される複数の出力パッドＯＰ１、ＯＰ２、ＯＰ３、ＯＰ４に接続され、複数の出力パッドＯＰ１、ＯＰ２、ＯＰ３、ＯＰ４はそれぞれ発光ダイオードパネル２１５の複数のデータ配線２６０に接続される。
【００４９】
そして、複数のデジタル・アナログ変換機ＤＡＣ１、ＤＡＣ２、ＤＡＣ３、ＤＡＣ４から生成された複数のデータ信号は、複数のバッファーＢＦ１、ＢＦ２、ＢＦ３、ＢＦ４及び複数の出力パッドＯＰ１、ＯＰ２、ＯＰ３、ＯＰ４を介して複数のデータ配線２６０にそれぞれ供給される。
【００５０】
また、データ駆動部２２０のフィルム２２１の上部には第１電源供給線２４０が形成される。第１電源供給線２４０の両端にはそれぞれ電源入力パッド２４０ａが形成される。第１電源供給線２４０には複数の第１補助電源リンク配線２４２が接続される。そして、複数の第１補助電源リンク配線２４２のそれぞれの一端は、フィルム２２１の上部に形成され、かつ、複数の出力パッドＯＰ１、ＯＰ２、ＯＰ３、ＯＰ４の間に配置される複数の第１電源パッド２２４に接続される。複数の第１電源パッド２２４は、それぞれ発光ダイオードパネル２１５の複数の第１電源リンク配線２５０に接続される。
【００５１】
複数の第１補助電源リンク配線２４２は、データ駆動部２２０のフィルム２２１上に形成されても良く、データ駆動部２２０の駆動集積回路２２２内に形成されても良い。
【００５２】
一方、発光ダイオードパネル２１５の第１基板の複数の画素領域Ｐ１、Ｐ２、Ｐ３、Ｐ４の間には複数の第１電源配線２５４が形成され、複数の第１電源配線２５４は複数の第１電源リンク配線２５０に接続されて第１電源を供給する。
【００５３】
複数の画素領域Ｐ１、Ｐ２、Ｐ３、Ｐ４の内、隣接した２つは、共有する１つの第１電源配線２５４を介して第１電源を供給されることができ、複数の画素領域Ｐ１、Ｐ２、Ｐ３、Ｐ４は赤（Ｒ）、白（Ｗ）、緑（Ｇ）、青（Ｂ）の画素領域を含むことができる。
【００５４】
このように、本発明の第１実施例に係る有機発光ダイオード表示装置２１０においては、複数の第１電源リンク配線２５０のそれぞれが、データ駆動部２２０の駆動集積回路２２２の複数の出力パッドＯＰ１、ＯＰ２、ＯＰ３、ＯＰ４の内、２つに対応するように形成される。また、複数の第１電源リンク配線２５０は、それぞれ発光ダイオードパネル２１５の複数の第１電源配線２５４に接続されて第１電源を供給する。
【００５５】
図面に示していないが、有機発光ダイオード表示装置２１０は複数の第２電源リンク配線を更に含むこともできる。この場合、複数の第２電源リンク配線のそれぞれが駆動集積回路２２２の複数の出力パッドＯＰ１、ＯＰ２、ＯＰ３、ＯＰ４の内、２つに対応するように形成されることができる。また、複数の第２電源リンク配線はそれぞれ発光ダイオードパネル２１５の複数の第２電源配線に接続されて第２電源を供給することができる。
【００５６】
この場合、第１電源リンク配線２５０及び第２電源リンク配線（不図示）は、水平方向に沿って１つずつまたは２つずつ交互に繰り返し配列されることができる。例えば、（１、１、２、２、）のような順番で、または（１、２、１、２、）のような順番で繰り返し配列されることができる。
【００５７】
複数の第１電源リンク配線２５０のそれぞれは、発光ダイオードパネル２１５の複数の第１電源配線２５４の内、一部、例えば１つの第１電源配線２５４に接続される。そのため、発光ダイオードパネル２１５全体が必要とする第１電源の電流は、水平方向に沿って複数の第１電源リンク配線２５０の個数分、分割されて供給される。その結果、複数の第１電源リンク配線２５０または複数の第１電源配線２５４の電気的断線、焼損または電気的短絡のような不良が防止できる。
【００５８】
一方、他の実施例において電源リンク配線を、駆動集積回路の出力パッドの内、４つに対応するように形成することもできるが、それは図面を参照して説明する。
【００５９】
図６は、本発明の第２実施例に係る有機発光ダイオード表示装置の一部を示す図面である。
【００６０】
図６に示すように、本発明の第２実施例に係る有機発光ダイオード表示装置３１０は、発光ダイオードパネル３１５と、複数のゲート駆動部（不図示）及び複数のデータ駆動部３２０とを備える。
【００６１】
データ駆動部３２０は、フィルム３２１と、フィルム３２１の上部に装着される駆動集積回路３２２とを含む。
【００６２】
駆動集積回路３２２は、互いに１：１：１の対応関係で接続される複数のデジタル・アナログ変換機ＤＡＣ１、ＤＡＣ２、ＤＡＣ３、ＤＡＣ４、複数のバッファーＢＦ１、ＢＦ２、ＢＦ３、ＢＦ４及び複数の出力端子（不図示）を含む。複数の出力端子はフィルム３２１の上部に形成される複数の出力パッドＯＰ１、ＯＰ２、ＯＰ３、ＯＰ４に接続され、複数の出力パッドＯＰ１、ＯＰ２、ＯＰ３、ＯＰ４はそれぞれ発光ダイオードパネル３１５の第１基板（不図示）の上部の複数のデータ配線３６０に接続される。
【００６３】
そして、複数のデジタル・アナログ変換機ＤＡＣ１、ＤＡＣ２、ＤＡＣ３、ＤＡＣ４から生成された複数のデータ信号は、複数のバッファーＢＦ１、ＢＦ２、ＢＦ３、ＢＦ４及び複数の出力パッドＯＰ１、ＯＰ２、ＯＰ３、ＯＰ４を介して複数のデータ配線３６０にそれぞれ供給される。
【００６４】
また、フィルム３２１の上部には第１電源供給線３４０が形成される。第１電源供給線３４０の両端にはそれぞれ電源入力パッド３４０ａが形成される。第１電源供給線３４０には複数の第１補助電源リンク配線３４２が接続される。そして、複数の第１補助電源リンク配線３４２のそれぞれの一端は、フィルム３２１の上部に形成され、かつ、複数の出力パッドＯＰ１、ＯＰ２、ＯＰ３、ＯＰ４の間に配置される複数の第１電源パッド３２４に接続される。複数の第１電源パッド３２４はそれぞれ発光ダイオードパネル３１５の複数の第１電源リンク配線３５０に接続される。
【００６５】
複数の第１補助電源リンク配線３４２は、フィルム３２１上に形成されても良く、駆動集積回路３２２内に形成されても良い。
【００６６】
一方、発光ダイオードパネル３１５の第１基板の複数の画素領域Ｐ１、Ｐ２、Ｐ３、Ｐ４の間には複数の第１電源配線３５４が形成される。複数の第１電源配線３５４は複数の第１電源リンク配線３５０に接続されて第１電源を供給する。
【００６７】
複数の画素領域Ｐ１、Ｐ２、Ｐ３、Ｐ４の内、隣接した２つは、共有する１つの第１電源配線３５４を介して第１電源を供給されることができる。複数の画素領域Ｐ１、Ｐ２、Ｐ３、Ｐ４は赤（Ｒ）、白（Ｗ）、緑（Ｇ）、青（Ｂ）の画素領域を含むことができる。
【００６８】
このように、本発明の第２実施例に係る有機発光ダイオード表示装置３１０においては、複数の第１電源リンク配線３５０のそれぞれが、データ駆動部３２０の駆動集積回路３２２の複数の出力パッドＯＰ１、ＯＰ２、ＯＰ３、ＯＰ４の内、４つに対応するように形成される。複数の第１電源リンク配線３５０は、それぞれ発光ダイオードパネル３１５の複数の第１電源配線３５４に接続されて第１電源を供給する。
【００６９】
図面に示していないが、有機発光ダイオード表示装置３１０は複数の第２電源リンク配線及び複数の第３電源リンク配線を更に含むこともできる。この場合、複数の第２電源リンク配線及び複数の第３電源リンク配線のそれぞれが駆動集積回路３２２の複数の出力パッドＯＰ１、ＯＰ２、ＯＰ３、ＯＰ４の内、４つに対応するように形成されることができる。複数の第２電源リンク配線及び複数の第３電源リンク配線は、それぞれ発光ダイオードパネル３１５の複数の第２電源配線及び複数の第３電源配線に接続されて第２電源及び第３電源を供給することができる。
【００７０】
この場合、第１電源リンク配線３５０ないし第３電源リンク配線（不図示）は、水平方向に沿って１つずつまたは３つずつ交互に繰り返し配列されることができる。例えば、（１、１、１、２、２、２、３、３、３、）のような順番で、または（１、２、３、１、２、３、１、２、３、）のような順番で繰り返し配列されることができる。
【００７１】
複数の第１電源リンク配線３５０のそれぞれは、発光ダイオードパネル３１５の複数の第１電源配線３５４の内、一部、例えば２つの第１電源配線３５４に接続される。そのため、発光ダイオードパネル３１５全体が必要とする第１電源の電流は、水平方向に沿って複数の第１電源リンク配線３５０の個数分、分割されて供給される。その結果、複数の第１電源リンク配線３５０または複数の第１電源配線３５４の電気的断線、焼損または電気的短絡のような不良が防止できる。
【００７２】
第１実施例においては、１つの第１電源リンク配線２５０及び１つの電源パッド２２４がそれぞれ２つの出力パッドに対応するように形成される。また、第２実施例においては、１つの第１電源リンク配線３５０及び１つの電源パッド３２４がそれぞれ４つの出力パッドに対応するように形成される。しかしながら、他の実施例においては、１つの第１電源リンク配線及び１つの電源パッドがそれぞれ１つの出力パッドに対応するように形成されても良い。また、１つの第１電源リンク配線及び１つの電源パッドがそれぞれ複数の出力パッドの全体に対応するように形成されても良い。
【００７３】
即ち、第１電源の分割供給の効率を考えて１つの第１電源リンク配線及び１つの電源パッドは、１つより多いまたは同じ数に、そして複数の出力パッドの総数より少ないまたは同じ数に対応するように形成されることができる。
【００７４】
一方、他の実施例において電源リンク配線をゲート駆動部に形成することもできる。その詳細について、以下に図面を参照しながら説明する。
【００７５】
図７は、本発明の第３実施例に係る有機発光ダイオード表示装置を示す図面であり、図８は、図７のＣ領域を拡大した図面である。
【００７６】
図７に示すように、本発明の第３実施例に係る有機発光ダイオード表示装置４１０は、映像を表示する発光ダイオードパネル４１５と、発光ダイオードパネル４１５に接続されてそれぞれゲート信号及びデータ信号を供給する複数のゲート駆動部４７０及び複数のデータ駆動部（不図示）とを備える。
【００７７】
発光ダイオードパネル４１５は、複数の画素領域Ｐで構成される表示領域ＤＡと、表示領域ＤＡを囲む非表示領域ＮＤＡを有する第１及び第２基板（不図示）を含む。第１基板の表示領域ＤＡには複数の画素領域Ｐに第１電源を供給するための複数の第１電源配線４５４が、１つの画素領域Ｐの垂直方向の長さに対応するように形成される。第１基板の非表示領域ＮＤＡには複数の第１電源配線４５４に接続される。外部から供給される第１電源を複数の第１電源配線４５４に伝達する複数の第１電源リンク配線４５０が形成される。
【００７８】
図面に示していないが、第１基板の表示領域ＤＡには複数の画素領域Ｐに第２電源を供給するための複数の第２電源配線が更に形成される。また、第１基板の非表示領域ＮＤＡには複数の第２電源配線に接続される。また、外部から供給される第２電源を複数の第２電源配線に伝達する第２電源リンク配線が更に形成されることができる。
【００７９】
複数のゲート駆動部４７０は、それぞれテープキャリアパッケージ（ＴＣＰ）のようなフィルム４７１の上部に駆動集積回路（ｄｒｉｖｉｎｇ  ｉｎｔｅｇｒａｔｅｄ  ｃｉｒｃｕｉｔ：ＤＩＣ）４７２を装着したチップオンフィルム（ＣＯＦ）の形状で形成されることができる。
【００８０】
複数のゲート駆動部４７０のそれぞれのフィルム４７１上には、外部から第１電源が供給される第１電源供給線４４０が形成される。第１電源供給線４４０は複数の第１電源リンク配線４５０に接続される。複数の第１電源リンク配線４５０のそれぞれは、発光ダイオードパネル４１５の第１基板の上部に形成された部分とゲート駆動部４２０のフィルム４２１の上部に形成された部分が接続されて構成される。
【００８１】
また、図面に示していないが、複数のゲート駆動部４７０には外部から第２電源が供給される第２電源供給線が更に形成されることができる。また、第２電源供給線は第２電源リンク配線に接続されることができる。
【００８２】
更に具体的に説明すると、図８に示すようにゲート駆動部４７０の駆動集積回路４７２は、互いに１：１：１：１の対応関係で接続される複数のシフトレジスタ（不図示）、複数のレベルシフタＬＳ１，ＬＳ２，ＬＳ３，ＬＳ４、複数のバッファーＢＦ１、ＢＦ２、ＢＦ３、ＢＦ４及び複数の出力端子（不図示）を含む。複数の出力端子はゲート駆動部４７０のフィルム４７１の上部に形成される複数の出力パッドＯＰ１、ＯＰ２、ＯＰ３、ＯＰ４に接続される。複数の出力パッドＯＰ１、ＯＰ２、ＯＰ３、ＯＰ４は、それぞれ発光ダイオードパネル４１５の複数のゲート配線４６２と複数のリセット配線４６４に接続される。
【００８３】
そして、複数のシフトレジスタ（不図示）及び複数のレベルシフタＬＳ１、ＬＳ２、ＬＳ３、ＬＳ４から生成された複数のゲート信号及び複数のリセット信号は、複数のバッファーＢＦ１、ＢＦ２、ＢＦ３、ＢＦ４及び複数の出力パッドＯＰ１、ＯＰ２、ＯＰ３、ＯＰ４を介して複数のゲート配線４６２及び複数のリセット配線４６４にそれぞれ供給される。
【００８４】
また、ゲート駆動部４７０のフィルム４７１の上部には第１電源供給線４４０が形成される。第１電源供給線４４０の両端にはそれぞれ電源入力パッド４４０ａが形成される。第１電源供給線４４０には複数の第１補助電源リンク配線４４２が接続される。そして、複数の第１補助電源リンク配線４４２のそれぞれの一端は、フィルム４２１の上部に形成され、かつ、複数の出力パッドＯＰ１、ＯＰ２、ＯＰ３、ＯＰ４の間に配置される複数の第１電源パッド４２４に接続される。複数の第１電源パッド４２４は、それぞれ発光ダイオードパネル４１５の複数の第１電源リンク配線４５０に接続される。
【００８５】
複数の第１補助電源リンク配線４４２は、ゲート駆動部４７０のフィルム４７１上に形成されても良く、また、ゲート駆動部４７０の駆動集積回路４７２内に形成されても良い。
【００８６】
一方、発光ダイオードパネル４１５の第１基板の複数の画素領域Ｐ１、Ｐ２、Ｐ３、Ｐ４の間には複数の第１電源配線４５４が形成される。複数の第１電源配線４５４は複数の第１電源リンク配線４５０にそれぞれ接続されて第１電源を供給される。
【００８７】
複数の画素領域Ｐ１、Ｐ２、Ｐ３、Ｐ４の内、隣接した２つは、共有する１つの第１電源配線４５４を介して第１電源を供給されることができる。複数の画素領域Ｐ１、Ｐ２、Ｐ３、Ｐ４は赤（Ｒ）、白（Ｗ）、緑（Ｇ）、青（Ｂ）の画素領域を含むことができる。
【００８８】
このように、本発明の第３実施例に係る有機発光ダイオード表示装置４１０においては、複数の第１電源リンク配線４５０のそれぞれが、ゲート駆動部４７０の駆動集積回路４７２の複数の出力パッドＯＰ１、ＯＰ２、ＯＰ３、ＯＰ４の内、２つに対応するように形成される。複数の第１電源リンク配線４５０は、それぞれ発光ダイオードパネル４１５の複数の第１電源配線４５４に接続されて第１電源を供給する。
【００８９】
図面に示していないが、有機発光ダイオード表示装置４１０は複数の第２電源リンク配線を更に含むこともできる。この場合、複数の第２電源リンク配線のそれぞれがゲート駆動部４７０の駆動集積回路４７２の複数の出力パッドＯＰ１、ＯＰ２、ＯＰ３、ＯＰ４の内、２つに対応するように形成されることができる。また、複数の第２電源リンク配線は、それぞれ発光ダイオードパネル４１５の複数の第２電源配線に接続されて第２電源を供給することができる。
【００９０】
この場合、第１電源リンク配線４５０及び第２電源リンク配線（不図示）は、水平方向に沿って１つずつまたは２つずつ交互に繰り返し配列されることができる。例えば、（１、１、２、２、）のような順番で、または（１、２、１、２、）のような順番で繰り返し配列されることができる。
【００９１】
複数の第１電源リンク配線４５０のそれぞれは、発光ダイオードパネル４１５の複数の第１電源配線４５４の内、一部、例えば１つの水平ラインの画素領域に対応する第１電源配線４５４に接続される。そのため、発光ダイオードパネル４１５全体が必要とする第１電源の電流は、垂直方向に沿って複数の第１電源リンク配線４５０の個数分、分割されて供給される。その結果、複数の第１電源リンク配線４５０または複数の第１電源配線４５４の電気的断線、焼損または電気的短絡のような不良が防止できる。
【００９２】
本発明の第１ないし第３実施例において発光ダイオードパネルに供給される電源について図面を参照して説明する。
【００９３】
図９は、本発明の実施例に係る有機発光ダイオード表示装置の一画素領域を示す図面であって、本発明の第１ないし第３実施例に適用可能な画素構造である。
【００９４】
図９に示すように、本発明の実施例に係る有機発光ダイオード表示装置の画素領域Ｐには、水平方向に沿って互いに離隔して形成されるゲート配線ＧＬ及びリセット配線ＲＬが形成される。また、垂直方向に沿ってゲート配線ＧＬ及びリセット配線ＲＬと交差するデータ配線ＤＬが形成される。
【００９５】
ゲート配線ＧＬ及びデータ配線ＤＬには第１トランジスタＴ１が接続され、第１トランジスタＴ１のドレインには第１キャパシタＣ１の一端が接続される。
【００９６】
第２トランジスタＴ２はリセット配線ＲＬ及び基準電圧ＶＲＥＦに接続される。第３トランジスタＴ３は電源電圧ＶＤＤ及び発光ダイオードＤに接続される。発光ダイオードＤは基底電圧ＶＳＳに接続される。
【００９７】
第１トランジスタＴ１は、ゲート配線ＧＬのゲート信号によってデータ配線ＤＬのデータ信号を伝達するスイッチング素子の役割を担う。第２トランジスタＴ２は、リセット配線ＲＬのリセット信号によって基準電圧ＶＲＥＦを第１キャパシタＣ１の他端に充電させる役割を担う。第３トランジスタＴ３は、第１キャパシタＣ１の一端に保存された電圧による電源電圧ＶＤＤの電流を発光ダイオードＤに伝達する駆動素子の役割を担う。
【００９８】
かかる画素領域Ｐを第１ないし第３実施例に係る有機発光ダイオード表示装置に適用する場合、第１ないし第３電源のそれぞれは、電源電圧ＶＤＤ、基底電圧ＶＳＳ及び基準電圧ＶＲＥＦの内の１つである。また、第１ないし第３電源リンク配線のそれぞれは、電源電圧ＶＤＤ、基底電圧ＶＳＳ及び基準電圧ＶＲＥＦの内の１つを各画素領域Ｐに伝達するための配線である。
【００９９】
第１ないし第３実施例においては有機発光ダイオード表示装置を例えて説明したが、他の実施例においては液晶表示装置に複数の第１電源リンク配線を形成することもできる。
【０１００】
即ち、映像を表示する液晶パネルと、液晶パネルにゲート信号及びデータ信号を供給するゲート駆動部及びデータ駆動部とを含む液晶表示装置において、複数の第１電源リンク配線を液晶パネルの第１基板の上部に形成し、ゲート駆動部またはデータ駆動部の駆動集積回路の出力パッドの間に形成された複数の第１電源パッドに複数の第１電源リンク配線を接続することで、液晶パネル全体に供給される第１電源を分割して供給することができる。
【０１０１】
なお、上記においては、本発明の望ましい実施例を参照して説明したが、後述する特許請求の範囲に記載された本発明の精神と領域を逸脱しない範囲内で、本発明を種々に修正及び変更できることは、当該技術分野に熟練した者にとって自明である。      
【符号の説明】
【０１０２】
２１０、３１０、４１０…有機発光ダイオード表示装置、２１５、３１５、４１５…発光ダイオードパネル、２２０、３２０…データ駆動部、２２４、３２４、４２４…第１電源パッド、２４０、３４０、４４０…第１電源供給線、２５０、３５０、４５０…第１電源リンク配線、４７０…ゲート駆動部
【図１】
2014056238.tif 000003
【図２】
2014056238.tif 000004
【図３】
2014056238.tif 000005
【図４】
2014056238.tif 000006
【図５】
2014056238.tif 000007
【図６】
2014056238.tif 000008
【図７】
2014056238.tif 000009
【図８】
2014056238.tif 000010
【図９】
2014056238.tif 000011